(57)【要約】      （修正有）【課題】尿汚れを確実に防止するとともに、通常の排尿操作を容易に行うことのできる下着を提供する。【解決手段】下着２は、前面側の中央部分に位置し、装着状態にて股部分を支持する股支持部１０と、股支持部１０の左右方向の両側に位置する開口部２０と、を備える。開口部２０にはスリット２０Ｓが設けられる。スリット２０Ｓは、装着状態のまま股部分Ｍを露出するための、または、装着状態のまま被装着部位及び外部の連通空間を形成するためのものである。【選択図】図１
0003184517.tif 000002
【実用新案登録請求の範囲】
【請求項１】
前面側の中央部分に位置し、装着状態にて股部分を支持する股支持部と、
前記股支持部の左右方向の両側に位置し、装着状態のまま前記股部分を露出するための、または、装着状態のまま被装着部位及び外部の連通空間を形成するための開口部と、を備えたことを特徴とする下着。
【請求項２】
前記股支持部を形成する第１シートと、
前記第１シートに対して第１の重なり部を形成するように配された第２シートと、
前記第１シートに対して第２の重なり部を形成するように配された第３シートと、を備え、
前記第１の重なり部における前記第１シート及び前記第２シートの間には前記開口部となる第１のスリットが形成され、
前記第２の重なり部における前記第１シート及び前記第３シートの間には前記開口部となる第２のスリットが形成され、
前記第２シート及び前記第３シートは前記第１シートの内面側に位置することを特徴とする請求項１記載の下着。
【請求項３】
前記第１のスリット及び前記第２のスリットは、上下方向または斜め方向に延びるように形成されたことを特徴とする請求項２記載の下着。
【請求項４】
前記股支持部の内面側に設けられ液体を吸収する吸液具を備えることを特徴とする請求項１ないし３のうちいずれか１項記載の下着。
【考案の詳細な説明】
【技術分野】
【０００１】
本考案は、下着に関する。
【背景技術】
【０００２】
老化や疾病などによって排尿機能のための筋肉の力が衰えると、球部尿道の尿の送り出しやミルクバックが機能しにくくなる結果、排尿終了時に球部尿道に尿が停滞するようになる。そして、排尿終了時に球部尿道に溜まっている尿は、本人の歩行や姿勢の変化その他の原因により、本人の意に反して排尿後に外尿道口から尿漏れし、下着やズボンなどを汚すこと（以下、尿汚れと称する）がある。
【０００３】
このような尿汚れ対策が施された下着として、例えば、特許文献１に記載のものが知られている。
【０００４】
特許文献１において提案されている下着は、腰締めバンドを有する男性用パンツの前布部分の内側に、上部ゴムバンドと下部ゴムバンドとを有する当て布を取り付け、この当て布に陰のうを安定した状態で納め、上下部のゴムバンドの弾性によって常に釣り合った状態に保って、陰のうがその周辺の皮膚へ直接触れないようにしたものである。このような下着は、着用時に前記当て布に陰のうを納めると、陰のうとともに陰茎も上向き状態に持ち上げられる。この結果、前述の尿漏れや尿汚れを防止することができる。
【先行技術文献】
【特許文献】
【０００５】
【特許文献１】実開平６−１２４０５号公報
【考案の概要】
【考案が解決しようとする課題】
【０００６】
ところが、前述の下着の場合、通常の下着と異なって、陰のうとともに陰茎も上向き状態に持ち上げられた状態が維持される結果、装着状態において違和感が生じやすい。そして、この違和感を解消するために下着の位置調整等を行うと、結果として、この上向き状態が維持できなくなる結果、尿汚れが発生してしまう。したがって、特許文献１に記載の下着は、尿汚れ対策としては十分ではない。また、尿漏れを確実に防止するために、下着の前面中央部分に吸水パッドを設けた場合、吸水パッドの存在により、陰茎を外部に露出させるといった通常の排尿操作が困難なものとなってしまう。
【０００７】
本考案は上記問題点に鑑みてなされたものであり、尿汚れを確実に防止するとともに、通常の排尿操作を容易に行うことのできる下着を提供することを目的とする。
【課題を解決するための手段】
【０００８】
本考案の下着は、前面側の中央部分に位置し、装着状態にて股部分を支持する股支持部と、前記股支持部の左右方向の両側に位置し、装着状態のまま前記股部分を露出するための、または、装着状態のまま被装着部位及び外部の連通空間を形成するための開口部と、を備えたことを特徴とする。
【０００９】
前記股支持部を形成する第１シートと、前記第１シートに対して第１の重なり部を形成するように配された第２シートと、前記第１シートに対して第２の重なり部を形成するように配された第３シートと、を備え、前記第１の重なり部における前記第１シート及び前記第２シートの間には前記開口部となる第１のスリットが形成され、前記第２の重なり部における前記第１シート及び前記第３シートの間には前記開口部となる第２のスリットが形成され、前記第２シート及び前記第３シートは前記第１シートの内面側に位置することが好ましい。また、前記第１のスリット及び前記第２のスリットは、上下方向または斜め方向に延びるように形成されたことが好ましい。さらに、前記股支持部の内面側に設けられ液体を吸収する吸液具を備えることが好ましい。
【考案の効果】
【００１０】
本発明によれば、尿汚れを確実に防止するとともに、通常の排尿操作を容易に行うことができる。
【図面の簡単な説明】
【００１１】
【図１】（Ａ）及び（Ｂ）は、装着状態の下着の概要を示す正面図である。
【図２】（Ａ）は、下着の概要を示す正面図である。  （Ｂ）は、下着の前面部分を形成する第１〜３シートの概要を示す正面図である。
【考案を実施するための形態】
【００１２】
以下、添付図面を参照して、本考案の実施の形態を説明する。
【００１３】
図１に示すように、下着２は、股支持部１０と、スリット２０Ｓが形成された開口部２０とを備える。股支持部１０は、装着状態にて股部分Ｍ（図１（Ｂ）参照）を支持するものであり、下着２のうち前面側の中央部分に位置する。開口部２０は、下着２の前面側において、股支持部１０の左右方向の両側近傍に位置する。スリット２０Ｓは、装着状態のまま、股部分Ｍ（図１（Ｂ）参照）を露出するためのもの、または、装着状態のまま、被装着部位及び外部の連通空間を形成するためのものである。被装着部位としては、（例えば、図１（Ｂ）に示す、そけい部Ｂなどがある。
【００１４】
このような下着２は、複数のシートをつなぎ合わせることによって形成される。図２（Ａ）に示すように、下着２の前面側は、第１〜第３シート３１〜３３によって形成される。
【００１５】
図２（Ｂ）に示すように、第１シート３１は、左右方向の中央部分に位置し、股支持部１０（図１（Ａ）参照）を形成する股支持部用形成部３１Ｃと、装着者からみて右側の端部（以下、右端部と称する）３１Ｒと、装着者からみて左側の端部（以下、左端部と称する）３１Ｌと、を備える。また、股支持部用形成部３１Ｃは、自身の下方部分で、股部分Ｍを支持する。
【００１６】
第２シート３２は、装着者からみて右側の部分（以下、第２右部分と称する）３２Ｒと、装着者からみて左側の部分（以下、第２左部分と称する）３２Ｌと、を備える。また、第３シート３３は、装着者からみて右側の部分（以下、第３右部分と称する）３３Ｒと、装着者からみて左側の部分（以下、第３左部分と称する）３３Ｌと、を備える。
【００１７】
図２（Ｂ）に示すように、第２左部分３２Ｌは右端部３１Ｒと重なるように配される。互いに重なった第２左部分３２Ｌと右端部３１Ｒによって、重なり部３０Ｗが形成される（図２（Ａ）参照）。同様にして、図２（Ｂ）に示すように、第３右部分３３Ｒは左端部３１Ｌと重なるように配される。互いに重なった第３右部分３３Ｒと左端部３１Ｌとによって、重なり部３０Ｗが形成される（図２（Ａ）参照）。
【００１８】
上下方向において、重なり部３０Ｗを形成する各シート３１〜３３の上端部と下端部には、重なる２つのシート同士が縫い付けられる縫い付けエリア３０ＷＡが形成され、中央部には、重なる２つのシート同士が互いに縫い付けられない非縫い付けエリア３０ＷＢが形成される。この非縫い付けエリア３０ＷＢにより、スリット２０Ｓ（図２（Ａ）参照）が形成される。このようにして形成されたスリット２０Ｓは、上下方向に延びる。なお、スリット２０Ｓは、斜め方向に延びてもよい。
【００１９】
ここで、第２左部分３２Ｌは、右端部３１Ｒの内面側に、そして、第３右部分３３Ｒは、左端部３１Ｌの内面側に、それぞれ位置することが好ましい。これにより、スリット２０Ｓは、装着状態において、体の中心から外側に向かって開口する。なお、第２左部分３２Ｌは、右端部３１Ｒの外面側に位置していてもよい。また、第３右部分３３Ｒは、左端部３１Ｌの外面側に位置していてもよい。
【００２０】
さらに、股支持部用形成部３１Ｃの内面側には、吸液性を有する吸液シート４０が設けられる。吸液シート４０は、装着状態において、陰茎など直接接触することが好ましい。
【００２１】
第１〜第３シート３１〜３３としては、例えば、布地や不織布などを用いることができ、中でも、通気性を有するものが好ましい。
【００２２】
また、吸液シート４０の形成材料としては、例えば、ポリアクリル酸ナトリウム等といった吸水性高分子がある。なお、吸収の対象となる液体が水以外である場合には、当該液体を吸収可能な吸液シートを用いればよい。
【００２３】
次に、下着２の使用方法について説明する。
【００２４】
図１に示すようにして、下着２を装着した状態では、股支持部１０が股部分Ｍを支持する。さらに、股支持部１０を形成する股支持部用形成部３１Ｃには、吸液性を有する吸液シート４０が設けられるため、尿漏れが発生した場合であっても、吸液シート４０が漏れ出した尿を吸収する。この結果、尿汚れを確実に抑えることができる。また、通常の排尿時には、股支持部１０の近傍に設けられたスリット２０Ｓ（図１（Ｂ）参照）から、陰茎を外部へ露出することができるため、排尿準備をスムーズに行うことができる。さらに、スリット２０Ｓは、股支持部１０の左右方向の両側に位置するため、装着者の利き腕によらずに、スムーズな排尿操作を実現できる。
【００２５】
ところで、尿道結石の術後、しばらくの間、尿漏れが起こってしまう。この場合には、吸液シート４０を備えた下着２を用いることにより、尿汚れを確実に防止することができる。さらに、術後、下着２を装着した状態のまま、そけい部Ｂ等に点滴用の針を刺す場合があるが、吸液シート４０を備えた下着２を用いることにより、そけい部Ｂへ針を刺す操作を容易に行うことができる。なお、尿漏れの心配がない場合には、前述の吸液シート４０は省略してもよい。
【００２６】
上記の下着は、男性用としてはもちろんのこと、女性用としても利用可能である。また、上記の下着は、ブリーフ、トランクスといった類に限られず、タイツ（下半身型や全身型）などでもよい。
上記の下着においては、スリット２０Ｓを設けたが、本考案はこれに限られない。すなわち、本考案の下着において、スリット２０Ｓに代えて、孔を設けてもよい。
【００２７】
尚、本考案は、上記した実施の形態に限定されるものではなく、本考案の要旨を逸脱しない範囲内において種々変更を加え得ることは勿論である。
【符号の説明】
【００２８】
２    下着
１０    股支持部
２０    開口部
２０Ｓ    スリット
３０Ｗ    重なり部
３１    第１シート
３１Ｃ    股支持部用形成部
３１Ｌ    左端部
３１Ｒ    右端部
３２    第２シート
３２Ｌ    第２左部分
３２Ｒ    第２右部分
３３    第３シート
３３Ｌ    第３左部分
３３Ｒ    第３右部分
４０    吸液シート
【図１】
0003184517.tif 000003
【図２】
0003184517.tif 000004